(57)【要約】【課題】  心臓検査等において、弁からの逆流状態をより診断しやすくすることにある。【解決手段】  実施形態によれば、医用画像診断装置は、取得部、設定部、及び生成部を備える。取得部は、被検体に関する第１のボリュームデータ及び第２のボリュームデータを取得する。設定部は、前記第１のボリュームデータに対して第１の関心領域を設定し、前記第２のボリュームデータに対して、前記第１の関心領域の設定とは独立に、第２の関心領域を設定する。生成部は、前記第１の関心領域及び前記第２の関心領域を表す情報に基づいて、前記第１のボリュームデータ及び前記第２のボリュームデータに対してクロップ処理を施し、前記クロップ処理が施された前記第１のボリュームデータ及び第２のボリュームデータに基づいて表示用画像に係る表示用画像データを生成する。【選択図】      図１
2019013753.tif 000002
【特許請求の範囲】
【請求項１】
被検体に関する第１のボリュームデータ及び第２のボリュームデータを取得する取得部と、
前記第１のボリュームデータに対して第１の関心領域を設定し、前記第２のボリュームデータに対して、前記第１の関心領域の設定とは独立に、第２の関心領域を設定する設定部と、
前記第１の関心領域及び前記第２の関心領域を表す情報に基づいて、前記第１のボリュームデータ及び前記第２のボリュームデータに対してクロップ処理を施し、前記クロップ処理が施された前記第１のボリュームデータ及び第２のボリュームデータに基づいて表示用画像データを生成する生成部と、
を備えた、医用画像診断装置。
【請求項２】
前記設定部は、前記第１のボリュームデータ、及び、前記第２のボリュームデータのうち少なくともいずれかを用いた解析により、前記第２の関心領域を設定する、請求項１に記載の医用画像診断装置。
【請求項３】
前記第１のボリュームデータ及び前記第２のボリュームデータは、超音波走査により収集された超音波ボリュームデータであり、
前記設定部は、前記第１のボリュームデータ及び前記第２のボリュームデータそれぞれにおける深度を指定することにより、前記第１の関心領域及び前記第２の関心領域を設定する、請求項１に記載の医用画像診断装置。
【請求項４】
前記生成部は、前記クロップ処理が施された前記第１のボリュームデータ及び前記第２のボリュームデータを合成することにより、第３のボリュームデータを生成し、前記第３のボリュームデータに対してレンダリング処理を施すことにより前記表示用画像データを生成する、請求項１に記載の医用画像診断装置。
【請求項５】
前記第１のボリュームデータは、Ｂモード画像に関するＢモードボリュームデータであり、前記第２のボリュームデータは、カラードプラ画像に関する血流ボリュームデータである、請求項１に記載の医用画像診断装置。
【請求項６】
前記設定部は、前記第２の関心領域を、前記被検体の所定位置を基準として設定する請求項１に記載の医用画像診断装置。
【請求項７】
前記クロップ処理は、前記第１の関心領域以外の領域の画素値をゼロとする処理、及び、前記第２の関心領域以外の領域の画素値をゼロとする処理のうち少なくともいずれかである請求項１に記載の医用画像診断装置。
【請求項８】
前記クロップ処理は、クロップ処理の対象となるボリュームデータから前記第１の関心領域、及び／又は、前記第２の関心領域を切り出す処理である請求項１に記載の医用画像診断装置。
【請求項９】
前記クロップ処理は、前記第１の関心領域と、前記第１の関心領域以外の領域とで、レンダリング処理時の透過度に差を設ける処理、及び／又は、前記第２の関心領域と、前記第２の関心領域以外の領域とで、レンダリング処理時の透過度に差を設ける処理である請求項１に記載の医用画像診断装置。
【請求項１０】
前記第１のボリュームデータに対するクロップ処理の後、前記第２のボリュームデータに対してクロップ処理を施すことを促す報知部をさらに具備する請求項１に記載の医用画像診断装置。
【請求項１１】
被検体に関するボリュームデータを取得する取得部と、
前記ボリュームデータのうち第１領域データに対して第１の関心領域を設定し、前記第１領域データとは異なる第２領域データに対して第２の関心領域を設定する設定部と、
前記第１の関心領域及び前記第２の関心領域を表す情報に基づいて、前記第１領域データ及び前記第２領域データに対してクロップ処理を施し、前記クロップ処理が施された前記第１領域データ及び前記第２領域データに基づいて表示用画像データを生成する生成部と、
を備えた、医用画像診断装置。
【請求項１２】
前記ボリュームデータは、超音波走査により収集された超音波ボリュームデータであり、
前記設定部は、前記第１領域データ及び第２領域データそれぞれにおける深度を指定することにより、前記第１の関心領域及び前記第２の関心領域を設定する、請求項１１に記載の医用画像診断装置。
【請求項１３】
前記第１領域データは、Ｂモード画像に関するＢモードデータに基づき、前記第２領域データは、カラードプラ画像に関するドプラデータに基づく、
請求項１１に記載の医用画像診断装置。
【請求項１４】
前記設定部は、前記第２の関心領域を、前記被検体の所定位置を基準として設定する請求項１１に記載の医用画像診断装置。
【請求項１５】
前記クロップ処理は、前記第１の関心領域以外の領域の画素値をゼロとする処理、及び、前記第２の関心領域以外の領域の画素値をゼロとする処理のうち少なくともいずれかである請求項１１に記載の医用画像診断装置。
【請求項１６】
前記クロップ処理は、前記ボリュームデータから前記第１の関心領域、及び／又は、前記第２の関心領域を切り出す処理である請求項１１に記載の医用画像診断装置。
【請求項１７】
前記クロップ処理は、前記第１の関心領域と、前記第１の関心領域以外の領域とで、レンダリング処理時の透過度に差を設ける処理、及び／又は、前記第２の関心領域と、前記第２の関心領域以外の領域とで、レンダリング処理時の透過度に差を設ける処理である請求項１１に記載の医用画像診断装置。
【請求項１８】
前記第１領域データに対するクロップ処理の後、前記第２領域データに対してクロップ処理を施すことを促す報知部をさらに具備する請求項１１に記載の医用画像診断装置。
【請求項１９】
被検体に関する第１のボリュームデータ及び第２のボリュームデータを取得する取得部と、
前記第１のボリュームデータに対して第１の関心領域を設定し、前記第２のボリュームデータに対して、前記第１の関心領域の設定とは独立に、第２の関心領域を設定する設定部と、
前記第１の関心領域及び前記第２の関心領域を表す情報に基づいて、前記第１のボリュームデータ及び前記第２のボリュームデータに対してクロップ処理を施し、前記クロップ処理が施された前記第１のボリュームデータ及び第２のボリュームデータに基づいて表示用画像に係る表示用画像データを生成する生成部と、
を備えた、医用画像処理装置。
【請求項２０】
被検体に関するボリュームデータを取得する取得部と、
前記ボリュームデータのうち第１領域データに対して第１の関心領域を設定し、前記第１領域データとは異なる第２領域データに対して第２の関心領域を設定する設定部と、
前記第１の関心領域及び前記第２の関心領域を表す情報に基づいて、前記第１領域データ及び前記第２領域データに対してクロップ処理を施し、前記クロップ処理が施された前記第１領域データ及び前記第２領域データに基づいて表示用画像データを生成する生成部と、
を備えた、医用画像処理装置。
【請求項２１】
コンピュータに、
被検体に関する第１のボリュームデータ及び第２のボリュームデータを取得させる機能と、
前記第１のボリュームデータに対して第１の関心領域を設定させ、前記第２のボリュームデータに対して、前記第１の関心領域の設定とは独立に、第２の関心領域を設定させる機能と、
前記第１の関心領域及び前記第２の関心領域を表す情報に基づいて、前記第１のボリュームデータ及び前記第２のボリュームデータに対してクロップ処理を施させ、前記クロップ処理が施された前記第１のボリュームデータ及び第２のボリュームデータに基づいて表示用画像に係る表示用画像データを生成させる機能と
を実現させる医用画像処理プログラム。
【請求項２２】
コンピュータに、
被検体に関するボリュームデータを取得させる機能と、
前記ボリュームデータのうち第１領域データに対して第１の関心領域を設定させ、前記第１領域データとは異なる第２領域データに対して第２の関心領域を設定させる機能と、
前記第１の関心領域及び前記第２の関心領域を表す情報に基づいて、前記第１領域データ及び前記第２領域データに対してクロップ処理を施させ、前記クロップ処理が施された前記第１領域データ及び前記第２領域データに基づいて表示用画像データを生成させる機能と
を実現させる医用画像処理プログラム。
【発明の詳細な説明】
【技術分野】
【０００１】
本発明の実施形態は、医用画像診断装置、医用画像処理装置、及び医用画像処理プログラムに関する。
【背景技術】
【０００２】
超音波診断装置では、例えばＭａｔｒｉｘ−ＴＥＥ（TransEsophageal Echocardiography: 経食道心エコー検査）プローブ等を用いることにより、形態情報を表すＢモード画像に係るボリュームデータ（３次元画像データ）、及び、血流情報を表す血流（カラードプラ）画像に係るボリュームデータを取得することが可能である。超音波診断では、取得した各種ボリュームデータを用いて立体的に観察することにより、確認すべき複数の２次元画像を一度に確認することができる。例えば、Ｂモード画像に係るボリュームデータを解析することにより、２次元超音波画像データに比して、検査部位の形態情報を視覚的、かつ、定量的に把握することができる。また、血流画像に係るボリュームデータを解析することにより、例えば心臓の弁からの逆流を立体的に可視化できる。
【０００３】
ところで、超音波診断装置は、例えばボリュームデータから任意の３次元領域のボリュームデータを切り出して表示するクロップ機能を備えている。このクロップ機能は、例えばＢモード画像に係るボリュームデータ及び血流画像に係るボリュームデータが重畳表示されるボリュームデータから任意の断面画像に係る断面画像データを切り出す際に実行される。このような場合、クロップ機能に対しては、Ｂモード画像に係るボリュームデータは弁付近の領域、血流画像に係るボリュームデータは弁付近から逆流の分かる位置までの領域といったように、Ｂモード画像に係るボリュームデータと、血流画像に係るボリュームデータとでそれぞれ異なる領域を抽出したいというニーズがある。
【０００４】
しかしながら、従来のクロップ機能では、例えばＢモード画像に係るボリュームデータと、血流画像に係るボリュームデータとで、共通に指定された関心領域に基づいて同じ領域を抽出することしかできない。すなわち、Ｂモード画像に係るボリュームデータ及び血流画像に係るボリュームデータをそれぞれ独立に抽出することができない。このため、例えば、Ｂモード画像に係るボリュームデータ及び血流画像に係るボリュームデータが重畳されたボリュームデータにクロップ処理を施し、弁付近の領域の外側から当該弁における血液の逆流の分かる位置までの領域について血流情報のみ表示したい場合等に対応できない。
【先行技術文献】
【特許文献】
【０００５】
【特許文献１】特開２０１０−９９１９５号公報
【発明の概要】
【発明が解決しようとする課題】
【０００６】
本実施形態の目的は、心臓検査等において、血流の状態をより診断しやすくすることにある。
【課題を解決するための手段】
【０００７】
実施形態によれば、医用画像診断装置は、取得部、設定部、及び生成部を備える。取得部は、被検体に関する第１のボリュームデータ及び第２のボリュームデータを取得する。設定部は、前記第１のボリュームデータに対して第１の関心領域を設定し、前記第２のボリュームデータに対して、前記第１の関心領域の設定とは独立に、第２の関心領域を設定する。生成部は、前記第１の関心領域及び前記第２の関心領域を表す情報に基づいて、前記第１のボリュームデータ及び前記第２のボリュームデータに対してクロップ処理を施し、前記クロップ処理が施された前記第１のボリュームデータ及び第２のボリュームデータに基づいて表示用画像に係る表示用画像データを生成する。
【図面の簡単な説明】
【０００８】
【図１】図１は、実施形態に係る超音波診断装置の構成を示す図である。
【図２】図２は、実施形態に係る超音波診断装置がボリュームデータに対してクロップ処理を施す際の制御回路の動作を示すフローチャートである。
【図３】図３は、実施形態に係る表示機器に表示されるクロップ処理前の表示用画像を表す図である。
【図４】図４は、実施形態に係る表示機器に表示されるＢモードボリュームデータに対するクロップ処理の後に、血流ボリュームデータに対してクロップ処理を施すことを促す通知画面の例を表す図である。
【図５】図５は、実施形態に係るクロップ処理後のＢモードボリュームデータを説明するための模式図である。
【図６】図６は、実施形態に係るクロップ処理後の血流ボリュームデータを説明するための模式図である。
【図７】図７は、実施形態に係る超音波診断装置が生成する合成ボリュームデータを説明するための模式図である。
【図８】図８は、実施形態に係る表示機器に表示されるクロップ処理後の表示用画像を表す図である。
【発明を実施するための形態】
【０００９】
以下、実施の形態について、図面を参照して説明する。
【００１０】
本実施形態に係る超音波診断装置１を図１のブロック図を参照して説明する。
【００１１】
図１に示されるように、超音波診断装置１は、装置本体１０、超音波プローブ７０、表示機器５０、及び入力装置６０を備える。装置本体１０は、ネットワーク１００を介して外部装置４０と接続される。また、装置本体１０は、表示機器５０、及び入力装置６０と接続される。
【００１２】
超音波プローブ７０は、複数の圧電振動子、圧電振動子に設けられる整合層、及び圧電振動子から後方への超音波の伝播を防止するバッキング材等を有する。超音波プローブ７０は、装置本体１０と着脱自在に接続される。複数の圧電振動子は、装置本体１０が有する超音波送信回路１１から供給される駆動信号に基づき超音波を発生する。また、超音波プローブ７０には、後述するオフセット処理や、超音波画像のフリーズなどの際に押下されるボタンが配置されてもよい。
【００１３】
超音波プローブ７０から被検体Ｐに超音波が送信されると、送信された超音波は、被検体Ｐの体内組織における音響インピーダンスの不連続面で次々と反射され、反射波信号（エコー信号）として超音波プローブ７０が有する複数の圧電振動子にて受信される。受信される反射波信号の振幅は、超音波が反射される不連続面における音響インピーダンスの差に依存する。なお、送信された超音波パルスが移動している血流や心臓壁などの表面で反射された場合の反射波信号は、ドプラ効果により、移動体の超音波送信方向に対する速度成分に依存して周波数偏移を受ける。超音波プローブ７０は、被検体Ｐからの反射波信号を受信して電気信号に変換する。本実施形態においては、超音波プローブ７０は、ボリュームデータ（３次元画像データ）を取得可能なプローブであるものとする。具体的には、複数の圧電振動子が二次元マトリックス状に配列された２Ｄアレイプローブ、又は圧電振動子列をその配列方向と直交する方向に機械的に煽りながら超音波走査を実行可能なメカニカル４Ｄプローブ等である。
【００１４】
図１に示される装置本体１０は、超音波プローブ７０が受信した反射波信号に基づいて超音波画像を生成する装置である。装置本体１０は、図１に示すように、超音波送信回路１１、超音波受信回路１２、Ｂモード処理回路１３、ドプラ処理回路１４、３次元処理回路１５、表示処理回路１６、内部記憶回路１７、画像メモリ１８（シネメモリ）、画像データベース１９、入力インタフェース回路２０、通信インタフェース回路２１及び制御回路２２を含む。
【００１５】
超音波送信回路１１は、超音波プローブ７０に駆動信号を供給するプロセッサである。超音波送信回路１１は、例えば、トリガ発生回路、遅延回路、及びパルサ回路等により実現される。トリガ発生回路は、制御回路２２の制御の下、所定のレート周波数で、送信超音波を形成するためのレートパルスを繰り返し発生する。遅延回路は、超音波プローブ７０から発生される超音波をビーム状に集束して送信指向性を決定するために必要な圧電振動子ごとの遅延時間を、トリガ発生回路が発生する各レートパルスに対し与える。パルサ回路は、制御回路２２の制御の下、レートパルスに基づくタイミングで、超音波プローブ７０に駆動信号（駆動パルス）を印加する。遅延回路により各レートパルスに対し与える遅延時間を変化させることで、圧電振動子面からの送信方向が任意に調整可能となる。
【００１６】
超音波受信回路１２は、超音波プローブ７０が受信した反射波信号に対して各種処理を施し、受信信号を生成するプロセッサである。超音波受信回路１２は、例えば、アンプ回路、Ａ／Ｄ変換器、受信遅延回路、及び加算器等により実現される。アンプ回路は、超音波プローブ７０が受信した反射波信号をチャンネルごとに増幅してゲイン補正処理を行なう。Ａ／Ｄ変換器は、ゲイン補正された反射波信号をデジタル信号に変換する。受信遅延回路は、デジタル信号に受信指向性を決定するのに必要な遅延時間を与える。加算器は、遅延時間が与えられた複数のデジタル信号を加算する。加算器の加算処理により、受信指向性に応じた方向からの反射成分が強調された受信信号が発生する。
【００１７】
Ｂモード処理回路１３は、超音波受信回路１２から受け取った受信信号に基づき、Ｂモードデータを生成するプロセッサである。Ｂモード処理回路１３は、超音波受信回路１２から受け取った受信信号に対して包絡線検波処理、及び対数増幅処理等を施し、信号強度が輝度の明るさで表現されるデータ（Ｂモードデータ）を生成する。生成されたＢモードデータは、２次元的な超音波走査線上のＢモードＲＡＷデータとして不図示のＲＡＷデータメモリに記憶される。
【００１８】
ドプラ処理回路１４は、超音波受信回路１２から受け取った受信信号に基づき、ドプラ波形、及びドプラデータを生成するプロセッサである。ドプラ処理回路１４は、受信信号から血流信号を抽出し、抽出した血流信号からドプラ波形を生成すると共に、血流信号から平均速度、分散、及びパワー等の情報を多点について抽出したデータ（ドプラデータ）を生成する。生成されたドプラデータは、２次元的な超音波走査線上のドプラＲＡＷデータとして不図示のＲＡＷデータメモリに記憶される。
【００１９】
３次元処理回路１５は、Ｂモード処理回路１３、及びドプラ処理回路１４により生成されたデータに基づき、各種ボリュームデータを生成可能なプロセッサである。
【００２０】
例えば、３次元処理回路１５は、ＲＡＷデータメモリに記憶されたＢモードデータに対し、空間的な位置情報を加味した補間処理を含むＲＡＷ−ボクセル変換を実行することにより、形態情報を表すＢモードボリュームデータを生成する。また、３次元処理回路１５は、ＲＡＷデータメモリに記憶されたドプラデータに対し、空間的な位置情報を加味した補間処理を含むＲＡＷ−ボクセル変換を実行することにより、血流情報を表す血流ボリュームデータを生成する。Ｂモードボリュームデータ、及び、血流ボリュームデータは、所望の範囲のボクセルから構成される。Ｂモードボリュームデータの各ボクセルには、反射波信号の信号強度に応じて所定の画素値（ボクセル値）が割り当てられている。血流ボリュームデータの各ボクセルには、例えば血流の方向及び血流の速度の大きさに応じて所定の画素値が割り当てられている。
【００２１】
また、３次元処理回路１５は、発生した各種ボリュームデータに対してレンダリング処理を施し、レンダリング画像データを生成する。また、３次元処理回路１５は、発生した各種ボリュームデータに対してＭＰＲ（Multi Planar Reconstruction）処理を施し、ボリュームデータにおける所定の断面画像（ＭＰＲ画像）を表すＭＰＲ画像データを生成する。また、３次元処理回路１５は、発生した各種ボリュームデータに対してＣｕｒｖｅｄ
ＭＰＲ（Multi Planar Reconstruction）処理を施し、ボリュームデータにおける所定の曲断面画像を表す曲断面画像データを生成する。また、３次元処理回路１５は、生成したＢモードボリュームデータ、及び血流ボリュームデータを合成し、合成ボリュームデータを生成する。合成の方法としては、例えば、Ｂモードボリュームデータの各ボクセルの画素値に対し、対応する血流ボリュームデータの各ボクセルの画素値に所定の重み係数をそれぞれ乗じた結果の値を加算する等が挙げられる。
【００２２】
表示処理回路１６は、各種画像を表示機器５０に表示するプロセッサである。表示処理回路１６は、座標変換処理等により、表示画像としての超音波画像データを生成する。座標変換処理とは、例えば、Ｂモードデータ、及びドプラデータからなる超音波走査の走査線の信号列を、テレビ等に代表される一般的なビデオフォーマットの走査線信号列であるビデオ信号に変換する処理である。生成された超音波画像データは、例えばＤＩＣＯＭ（digital imaging and communication in medicine）規格に準拠したフォーマットに変換され、例えば画像データベース１９に記憶される。
【００２３】
表示処理回路１６は、ＲＡＷデータメモリに記憶されたＢモードＲＡＷデータに基づいてＢモード画像データを生成する。Ｂモード画像データは、音波の集束などの超音波プローブの特性や超音波ビーム（例えば、送受信ビーム）の音場特性などが反映された画素値（輝度値）を有する。例えば、Ｂモード画像データにおいて、被走査領域において超音波のフォーカス付近では、非フォーカス部分よりも相対的に高輝度となる。表示処理回路１６は、生成したＢモード画像データを表示機器５０に超音波画像として表示させる。
【００２４】
また、表示処理回路１６は、ＲＡＷデータメモリに記憶されたドプラＲＡＷデータに基づいて、平均速度画像、分散画像、パワー画像等に係るドプラ画像データを生成する。表示処理回路１６は、生成したドプラ画像データを表示機器５０に超音波画像として表示させる。
【００２５】
また、表示処理回路１６は、３次元処理回路１５において生成された各種画像データに対し、ダイナミックレンジ、輝度（ブライトネス）、コントラスト、γカーブ補正、及びＲＧＢ変換などの各種処理を実行することで、画像データをビデオ信号に変換する。表示処理回路１６は、ビデオ信号を表示機器５０に超音波画像として表示させる。
【００２６】
なお、表示処理回路１６は、操作者（例えば、術者）が入力インタフェース回路２０により各種指示を入力するためのユーザインタフェース（ＧＵＩ：Graphical User Interface）を生成し、ＧＵＩを表示機器５０に表示させてもよい。表示機器５０としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。表示機器５０は、例えば報知部の機能を有する。
【００２７】
内部記憶回路１７は、例えば、磁気的若しくは光学的記録媒体、又は半導体メモリ等のプロセッサにより読み取り可能な記録媒体等を有する。内部記憶回路１７は、超音波送受信を実現するための制御プログラム、画像処理を行うための制御プログラム、及び表示処理を行なうための制御プログラム等を記憶している。また、内部記憶回路１７は、本実施形態に係る各種機能を実現するための制御プログラムを記憶している。また、内部記憶回路１７は、診断情報（例えば、患者ＩＤ、医師の所見等）、診断プロトコル、ボディマーク生成プログラム、及び映像化に用いるカラーデータの範囲を診断部位ごとに予め設定する変換テーブルなどのデータ群を記憶している。また、内部記憶回路１７は、生体内の臓器の構造に関する解剖学図譜、例えば、アトラスを記憶してもよい。
【００２８】
また、内部記憶回路１７は、入力インタフェース回路２０を介して入力される記憶操作に従い、３次元処理回路１５で生成されたボリュームデータ、及びレンダリング画像データを記憶する。なお、内部記憶回路１７は、入力インタフェース回路２０を介して入力される記憶操作に従い、３次元処理回路１５で生成したボリュームデータ、及びレンダリング画像データを、操作順番及び操作時間を含めて記憶してもよい。内部記憶回路１７は、記憶しているデータを、通信インタフェース回路２１を介して外部装置へ転送することも可能である。
【００２９】
画像メモリ１８は、例えば、磁気的若しくは光学的記録媒体、又は半導体メモリ等のプロセッサにより読み取り可能な記録媒体等を有する。画像メモリ１８は、入力インタフェース回路２０を介して入力されるフリーズ操作直前の複数フレームに対応する画像データを保存する。画像メモリ１８に記憶されている画像データは、例えば、連続表示（シネ表示）される。
【００３０】
画像データベース１９は、外部装置４０から転送される画像データを記憶する。例えば、画像データベース１９は、過去の診察において取得された同一患者に関する過去画像データを、外部装置４０から取得して記憶する。過去画像データには、超音波画像データ、ＣＴ（Computed Tomography）画像データ、ＭＲ（Magnetic Resonance）画像データ、ＰＥＴ（Positron Emission Tomography）−ＣＴ画像データ、ＰＥＴ−ＭＲ画像データ及びＸ線画像データが含まれる。また、過去画像データは、例えば３次元ボリュームデータ、及びレンダリング画像データとして記憶されている。
【００３１】
なお、画像データベース１９は、ＭＯ、ＣＤ−Ｒ、ＤＶＤなどの記録媒体（メディア）に記録された画像データを読み込むことで、所望の画像データを格納してもよい。
【００３２】
入力インタフェース回路２０は、入力装置６０を介して、操作者からの各種指示を受け付ける。入力装置６０には、例えば、マウス、キーボード、パネルスイッチ、スライダースイッチ、ダイヤルスイッチ、トラックボール、ロータリーエンコーダ、操作パネル及びタッチコマンドスクリーン（ＴＣＳ）等が含まれる。また、入力装置６０には、Ｂモードボリュームデータに対しクロップ処理を施すための機械的なスイッチ群６１と、血流ボリュームデータに対しクロップ処理を施すための機械的なスイッチ群６２とが含まれる。クロップ処理とは、３次元構造を有するボリュームデータの内部を可視化するためにボリュームデータを編集する処理である。クロップ処理の具体的な態様については後述する。
【００３３】
スイッチ群６１及びスイッチ群６２には、クロップ処理を開始するための開始指示を受け付ける開始ボタンがそれぞれ含まれる。操作者は、例えば、スイッチ群６１に含まれる開始ボタンを押下した後、ダイヤルスイッチ、及び／又はトラックボール等を操作することにより、Ｂモードボリュームデータにおけるクロップ処理に関する関心領域を設定することができる。また、操作者は、例えば、スイッチ群６２に含まれる開始ボタンを押下した後、ダイヤルスイッチ、及び／又はトラックボール等を操作することにより、血流ボリュームデータにおけるクロップ処理に関する関心領域を設定することができる。
【００３４】
本実施形態では、スイッチ群６１によりＢモードボリュームデータに関する操作が行われ、スイッチ群６２により血流ボリュームデータに関する操作が行われる例を示すが、これに限らない。例えば、クロップ処理のタイミングを分けることで、１つのスイッチ群により、Ｂモードボリュームデータ及び血流ボリュームデータのそれぞれについて操作が行えるようにしてもよい。
【００３５】
なお、関心領域の設定は、ダイヤルスイッチ、及び／又はトラックボール等の機械的なデバイスのみならず、ＴＣＳ上に表示される操作パネル画像、又は、外部装置４０におけるセカンドコンソール上に表示される操作パネル画像等を操作させることにより行われてもよい。
【００３６】
入力インタフェース回路２０は、例えばバスを介して制御回路２２に接続され、操作者から入力される操作指示を電気信号へ変換し、電気信号を制御回路２２へ出力する。なお、本明細書において入力インタフェース回路２０は、マウス及びキーボード等の物理的な操作部品と接続するものだけに限られない。例えば、超音波診断装置１とは別体に設けられた外部の入力機器から入力される操作指示に対応する電気信号を無線信号として受け取り、この電気信号を制御回路２２へ出力する電気信号の処理回路も入力インタフェース回路２０の例に含まれる。
【００３７】
通信インタフェース回路２１は、位置センサシステム３０と例えば無線により接続し、位置検出装置３２から送信される位置情報を受信する。また、通信インタフェース回路２１は、ネットワーク１００等を介して外部装置４０と接続され、外部装置４０との間でデータ通信を行う。外部装置４０は、例えば、各種の医用画像のデータを管理するシステムであるＰＡＣＳ（Picture Archiving and Communication System）のデータベース、医用画像が添付された電子カルテを管理する電子カルテシステムのデータベース等である。また、外部装置４０は、例えば、Ｘ線ＣＴ装置、及びＭＲＩ（Magnetic Resonance Imaging）装置、核医学診断装置、及びＸ線診断装置等、本実施形態に係る超音波診断装置１以外の各種医用画像診断装置である。なお、外部装置４０との通信の規格は、如何なる規格であっても良いが、例えば、ＤＩＣＯＭが挙げられる。
【００３８】
制御回路２２は、例えば、超音波診断装置１の中枢として機能するプロセッサである。制御回路２２は、内部記憶回路１７に記憶されている動作プログラムを実行することで、この動作プログラムに対応する機能を実現する。具体的には、制御回路２２は、ボリュームデータ取得機能２２１、関心領域設定機能２２３、クロップ機能２２５、表示制御機能２２７、及びシステム制御機能２２９を有する。
【００３９】
ボリュームデータ取得機能２２１は、各種ボリュームデータを取得する機能である。ボリュームデータ取得機能２２１が実行されると、制御回路２２は、例えば、超音波送信回路１１、超音波受信回路１２、Ｂモード処理回路１３、ドプラ処理回路１４、及び３次元処理回路１５を制御し、Ｂモードボリュームデータ、及び／又は、血流ボリュームデータを取得する。なお、制御回路２２は、予め画像データベース１９に記憶されたボリュームデータを読み出すことにより、Ｂモードボリュームデータ、及び／又は、血流ボリュームデータを取得してもよい。
【００４０】
関心領域設定機能２２３は、ボリュームデータ取得機能２２１により取得された各種ボリュームデータに対し、関心領域（ROI:Region of Interest）を設定する機能である。関心領域設定機能２２３が実行されると、制御回路２２は、例えば入力インタフェース回路２０を介して操作者により入力された入力情報に従い、Ｂモードボリュームデータ、又は／及び、血流ボリュームデータに対して関心領域を設定する。入力情報には、各ボリュームデータにおける位置、角度、大きさ（幅、奥行き、深さ等）等が含まれる。入力情報は、予め設定されたものであってもよい。
【００４１】
クロップ機能２２５は、関心領域設定機能２２３により関心領域が設定された各種ボリュームデータに対してクロップ処理を施し、クロップ処理後の各種ボリュームデータに基づいて表示用画像データを生成する機能である。クロップ機能２２５が実行されると、制御回路２２は、関心領域が設定されたＢモードボリュームデータ、及び／又は、血流ボリュームデータに対してクロップ処理を施す。クロップ処理の態様としては、例えばクロップ処理の対象となるボリュームデータのうち、関心領域以外の領域の画素値をゼロとする処理が挙げられる。また、クロップ処理の態様としては、例えばクロップ処理の対象となるボリュームデータのうち、設定された関心領域のみを切り出す処理が挙げられる。また、クロップ処理の態様としては、関心領域は透過度を０％とし、当該関心領域以外は透過度を５０％にする等、設定された関心領域と、当該関心領域以外の領域とで、レンダリング処理時の透過度に差を設ける処理が挙げられる。制御回路２２は、クロップ処理後のＢモードボリュームデータ、及び／又は、血流ボリュームデータに基づいて表示用画像データを生成する。表示用画像データには、レンダリング画像を表すレンダリング画像データ、及びＭＰＲ画像を表すＭＰＲ画像データが含まれる。
【００４２】
表示制御機能２２７は、各種ボリュームデータを表示する機能である。表示制御機能２２７が実行されると、制御回路２２は、ボリュームデータ取得機能２２１により取得されたＢモードボリュームデータ、又は／及び、血流ボリュームデータを表示機器５０に表示する。また、制御回路２２は、クロップ機能２２５により生成された表示用画像データを表示機器５０に表示する。
【００４３】
システム制御機能２２９は、超音波診断装置１の入出力等の基本動作を制御する機能である。システム制御機能２２９が実行されると、制御回路２２は、例えば入力インタフェース回路２０を介し、各種ボリュームデータに対する関心領域の設定をボリュームデータ毎に受け付ける。また、制御回路２２は、例えば入力インタフェース回路２０を介し、各種ボリュームデータに対するクロップ処理の開始をボリュームデータ毎に受け付ける。
【００４４】
ボリュームデータ取得機能２２１、関心領域設定機能２２３、クロップ機能２２５、表示制御機能２２７、及びシステム制御機能２２９は、制御プログラムとして組み込まれていてもよいし、制御回路２２自体または装置本体１０に制御回路２２が参照可能な回路として、各機能を実行可能な専用のハードウェア回路が組み込まれていてもよい。
【００４５】
次に、第１の実施形態に係る超音波診断装置１の動作について、図２のフローチャートを参照して説明する。
【００４６】
図２は、実施形態に係る超音波診断装置がボリュームデータに対してクロップ処理を施す際の制御回路の動作の例を示すフローチャートである。以下の説明では、Ｂモードボリュームデータ、及び血流ボリュームデータに対する関心領域の設定は、入力インタフェース回路２０を介して操作者により行われるものとする。また、Ｂモードボリュームデータ、及び血流ボリュームデータの順にクロップ処理を行うものとする。なお、血流ボリュームデータ、及びＢモードボリュームデータの順にクロップ処理が行われてもよい。また、診断対象は心臓であるものとし、各ボリュームデータを取得する際には、Ｍａｔｒｉｘ−ＴＥＥ（TransEsophageal Echocardiography: 経食道心エコー検査）プローブを、超音波プローブ７０として用いるものとする。また、血液の逆流の発生を確認する箇所は、大動脈弁であるとする。なお、Ｍａｔｒｉｘ−ＴＴＥ（TransThoracic Echocardiography: 経胸壁心エコー検査）プローブを、超音波プローブ７０として用いてもよい。また、血液の逆流の発生を確認する箇所は、僧帽弁、三尖弁、又は肺動脈弁であってもよい。また、診断対象は、例えば、肝臓等の血管を含む臓器であれば何であってもよい。
【００４７】
制御回路２２は、ボリュームデータ取得機能２２１を実行し、入力インタフェース回路２０を介した操作者からの所定の指示に応答し、診断対象である心臓に関するＢモードボリュームデータ、及び血流ボリュームデータを取得する（ステップＳＡ１）。例えば、制御回路２２は、超音波送信回路１１、超音波受信回路１２、Ｂモード処理回路１３、及び３次元処理回路１５を制御し、超音波プローブ７０を介してリアルタイムに受信される反射波信号に基づいて、Ｂモードボリュームデータを生成する。また、制御回路２２は、超音波送信回路１１、超音波受信回路１２、ドプラ処理回路１４、及び３次元処理回路１５を制御し、超音波プローブ７０を介してリアルタイムに受信される反射波信号に基づいて、血流ボリュームデータを生成する。これにより、Ｂモードボリュームデータ、及び、血流ボリュームデータが取得される。
【００４８】
制御回路２２は、表示制御機能２２７を実行し、取得したＢモードボリュームデータ、及び、血流ボリュームデータに基づいて表示用画像データを生成する（ステップＳＡ２）。具体的には、制御回路２２は、例えば、クロップ処理前のＢモードボリュームデータ、及び血流ボリュームデータを合成し、合成ボリュームデータを生成する。そして、制御回路２２は、生成した合成ボリュームデータに対し、ＭＰＲ処理、及びレンダリング処理等を施すことにより表示用画像データを生成する。
【００４９】
制御回路２２は、生成した表示用画像データを表示機器５０に表示する（ステップＳＡ３）。図３は、本実施形態に係る表示機器５０に表示されるクロップ処理前の表示用画像の例を表す図である。図３に示される表示領域Ｆ１には、クロップ処理前の合成ボリュームデータのＡ面のＭＰＲ画像データに基づくＭＰＲ画像が表示されている。Ａ面とは、例えば、超音波プローブ７０における圧電振動子群の配列方向と、超音波ビームの送信方向とで形成される断面である。また、図３に示される表示領域Ｆ２には、クロップ処理前の合成ボリュームデータのＢ面のＭＰＲ画像データに基づくＭＰＲ画像が表示されている。Ｂ面とは、例えば、超音波プローブ７０の当接面に直交する断面であり、かつ、Ａ面に直交する断面である。なお、Ａ面及びＢ面に直交する断面、すなわち、超音波ビームの送信方向に対して垂直方向にある断面は、Ｃ面と称される。Ｃ面は、当接面に平行な断面である。なお、制御回路２２は、クロップ処理前のＢモードボリュームデータに基づくＢモードボリューム画像、及びクロップ処理前の血流ボリュームデータに基づく血流ボリューム画像を表示機器５０に重畳表示してもよい。
【００５０】
また、図３に示される表示領域Ｆ３には、クロップ処理前のレンダリング画像データに基づくレンダリング画像が表示されている。このとき、被検体Ｐの心臓弁において血液の逆流が起きていたとしても、血流ボリュームデータとＢモードボリュームデータとが重畳表示されているため、明確に血液の逆流を視認することはできない。
【００５１】
制御回路２２は、システム制御機能２２９を実行し、Ｂモードボリュームデータに対するクロップ処理の開始指示を受け付ける（ステップＳＡ４）。Ｂモードボリュームデータに対するクロップ処理の開始指示は、例えば、スイッチ群６１に含まれる開始ボタンが押下されることにより受け付けられる。このとき、開始指示に併せて診断対象である心臓をどの部位（ｖｉｅｗ）から観察するか特定するために、入力インタフェース回路２０を介し、所定の観察方向（視線及び視線位置）が設定されてもよい。
【００５２】
制御回路２２は、スイッチ群６１に含まれる開始ボタンが押下されると、関心領域設定機能２２３を実行し、例えば入力インタフェース回路２０を介して操作者により指定された入力情報に従い、ステップＳＡ１において取得されたＢモードボリュームデータに対して関心領域を設定する（ステップＳＡ５）。関心領域は、例えば、入力インタフェース回路２０を介し、当該Ｂモードボリュームデータにおける深度が指定されることにより設定される。深度は、例えば、超音波撮影時等に被検体Ｐに配置される超音波プローブ７０の位置を基準として、当該超音波プローブ７０から送信される超音波の送信方向の深さを表す。
【００５３】
具体的には、制御回路２２は、クロップ処理の対象となるＢモードボリュームデータに対し指定された深度に基づき、当該ボリュームデータを分断する境界面であるクロップ面を算出する。深度は、例えば、大動脈弁が存在する位置に基づいて決定される。制御回路２２は、クロップ対象となるボリュームデータのうち、算出したクロップ面より深度が大きくなる方向に含まれる空間領域を関心領域として設定する。クロップ面は、例えば診断対象である心臓を流れる血管の短軸方向に沿った断面である。なお、クロップ面は、心臓を流れる血管の長軸方向に沿った断面であってもよい。また、クロップ面は、平面に限定されず、例えば「Ｃｕｒｖｅｄ  ＭＰＲ」処理により算出される曲面であってもよい。また、設定される関心領域の形状は、操作者の目的用途に応じ、例えば、任意の多面体、円柱、球、楕円球等であってもよい。なお、設定された関心領域に関する情報は、例えば内部記憶回路１７に記憶される。
【００５４】
制御回路２２は、Ｂモードボリュームデータに対して関心領域が設定されると、クロップ機能２２５を実行し、関心領域が設定されたＢモードボリュームデータに対してクロップ処理を施す（ステップＳＡ６）。図５は、本実施形態に係るクロップ処理後のＢモードボリュームデータの例を説明するための模式図である。図５によれば、クロップ面Ｃ１を境界面として、実線で囲まれた領域がクロップ処理後のＢモードボリュームデータＶ１として切り取られている。
【００５５】
制御回路２２は、Ｂモードボリュームデータに対してクロップ処理を施すと、システム制御機能２２９を実行し、血流ボリュームデータに対するクロップ処理の開始指示を受け付ける（ステップＳＡ７）。血流ボリュームデータに対するクロップ処理の開始指示は、例えば、スイッチ群６２に含まれる開始ボタンが押下されることにより受け付けられる。なお、制御回路２２は、Ｂモードボリュームデータに対してクロップ処理を施した後、血流ボリュームデータに対してクロップ処理を施すよう促してもよい。操作者にクロップ処理を促すための手段には、例えばポップアップの表示がある。図４は、本実施形態に係る表示機器５０に表示されるＢモードボリュームデータに対するクロップ処理の後に、血流ボリュームデータに対してクロップ処理を施すことを促す通知画面の例を表す図である。図４に示される表示機器５０には、ポップアップ画像Ｐ１が表示されている。ポップアップ画像Ｐ１には、文字列「Ｂモードボリュームデータに対するクロップ処理が終了しました。血流ボリュームデータに対するクロップ処理を実行して下さい。」が含まれている。これにより、操作者は、血流ボリュームデータに対するクロップ処理を確実に実施することができる。なお、ポップアップ画像Ｐ１に含まれている「閉じる」ボタンが指定されることにより、当該ポップアップ画像Ｐ１は表示されなくなる。
【００５６】
制御回路２２は、スイッチ群６２に含まれる開始ボタンが押下されると、関心領域設定機能２２３を実行し、例えば入力インタフェース回路２０を介して操作者により指定された入力情報に従い、ステップＳＡ１において取得された血流ボリュームデータに対して関心領域を設定する（ステップＳＡ８）。制御回路２２は、例えば、血流ボリュームデータ上において、血流の方向及び血流の速度の大きさに応じて割り当てられた画素値に基づいて関心領域を設定する。具体的には、制御回路２２は、血流の方向が正の向きを表す領域、又は、血流の方向が負の向きを表す領域を検知し、検知した領域に基づいて関心領域を設定する。血流の方向が正の向きとは、例えば超音波プローブ７０に向かう血流の向きである。血流の方向が負の向きとは、例えば超音波プローブ７０に向かう血流の向きである。
【００５７】
制御回路２２は、例えば血流の方向が負の向きである領域、すなわち、血液の逆流が発生している領域を関心領域として設定する。制御回路２２は、血流ボリュームデータの各ボクセルの画素値に対し所定の閾値を設定することにより関心領域の大きさを決定する。このとき、制御回路２２は、例えば大動脈弁から血液の逆流が発生している領域の一端までの距離を算出することが可能である。これにより、操作者等の技能や経験による血流ボリュームデータに対する関心領域決定に関する精度のばらつきを低減させることができる。また、３次元スキャン中又は解析中の操作性を向上させることができる。
【００５８】
なお、クロップ処理の対象となる関心領域と関心領域以外の境界を決定するための閾値は、例えば入力インタフェース回路２０を介して入力される速度表示スケールの最大値、最小値、又は表示させるレンジ幅等に基づいて設定されてもよい。
【００５９】
また、拡張末期時相、及び他の各時相に応じて、各ボリュームデータに対し設定される関心領域に関する入力情報を適応的に変化させるようにしてもよい。これにより、血流ではないノイズに起因する領域が表示されることを回避することができ、血流を表す成分のみを表示することが可能となる。
【００６０】
また、血流ボリュームデータに対する関心領域は、入力インタフェース回路２０を介し、当該血流ボリュームデータに対する深度が指定されることにより設定されてもよい。
【００６１】
なお、設定された関心領域に関する情報は、例えば内部記憶回路１７に記憶される。
【００６２】
制御回路２２は、血流ボリュームデータに対して関心領域が設定されると、クロップ機能２２５を実行し、関心領域が設定された血流ボリュームデータに対してクロップ処理を施す（ステップＳＡ９）。図６は、本実施形態に係るクロップ処理後の血流ボリュームデータの例を説明するための模式図である。図６によれば、クロップ面Ｃ２を境界面として、実線で囲まれた領域がクロップ処理後の血流ボリュームデータＶ２として切り取られている。
【００６３】
制御回路２２は、血流ボリュームデータに対してクロップ処理を施した後、クロップ処理後のＢモードボリュームデータ、及び血流ボリュームデータに基づいて、表示用画像データを生成する（ステップＳＡ１０）。具体的には、制御回路２２は、例えば、クロップ処理後のＢモードボリュームデータ、及び血流ボリュームデータを合成し、合成ボリュームデータを生成する。
【００６４】
図７は、実施形態に係る超音波診断装置が生成する合成ボリュームデータの例を説明するための模式図である。図７では、クロップ処理後のＢモードボリュームデータＶ１及び血流ボリュームデータＶ２に基づいて生成された合成ボリュームデータＶ３が実線で表されている。合成ボリュームデータＶ３のうち、空間領域Ｒ１は、血流ボリュームデータＶ２のみが表示される領域である。合成ボリュームデータＶ３のうち、空間領域Ｒ１は、大動脈弁が正しく機能していない場合に、血液の逆流が発生し得る領域である。合成ボリュームデータＶ３のうち、空間領域Ｒ２は、ＢモードボリュームデータＶ１と血流ボリュームデータＶ２とが重畳表示される領域である。
【００６５】
そして、制御回路２２は、生成した合成ボリュームデータＶ３に対し、ＭＰＲ処理、及びレンダリング処理等を施すことにより表示用画像データを生成する。
【００６６】
制御回路２２は、生成した表示用画像データに基づく表示用画像を表示する（ステップＳＡ１１）。図８は、本実施形態に係る表示機器５０に表示されるクロップ処理後の表示用画像を表す図である。図８に示される表示領域Ｆ１には、クロップ処理後の合成ボリュームデータのＡ面のＭＰＲ画像データに基づくＭＰＲ画像が表示されている。また、図８に示される表示領域Ｆ２には、クロップ処理後の合成ボリュームデータのＢ面のＭＰＲ画像データに基づくＭＰＲ画像が表示されている。
【００６７】
また、図８に示される表示領域Ｆ３には、クロップ処理後のレンダリング画像データに基づくレンダリング画像が表示されている。図８に示される表示領域Ｆ３のうち、表示領域Ｆ３１は、例えば大動脈弁付近から心尖部までの間の血流ボリュームデータのみが表示される領域の一部である。表示領域Ｆ３１は、いわゆる弁逆流ジェットが生じている領域である。表示領域Ｆ３１は、赤系色（赤から黄）の色相で立体的に表示されている。表示領域Ｆ３１は、大動脈弁を流れる血液が超音波プローブ７０に近付く方向に流れていることを表している。大動脈弁を流れる血液は、通常心尖部から大動脈弁に向かう方向に流れるため、表示領域Ｆ３１が表示されることにより大動脈弁付近において血液の逆流が発生していることを確認できる。図８のように表示用画像が表示されることにより、Ｂモードボリュームデータを取り除いた状態で、心臓の弁において血液の逆流が発生していることを明確に視認することができる。
【００６８】
なお、制御回路２２は、クロップ処理後のＢモードボリュームデータに基づくＢモードボリューム画像、及びクロップ処理後の血流ボリュームデータに基づく血流ボリューム画像を表示機器５０に重畳表示してもよい。
【００６９】
本実施形態によれば、制御回路２２は、Ｂモードボリュームデータ、及び、血流ボリュームデータを取得する。制御回路２２は、Ｂモードボリュームデータ、及び、血流ボリュームデータに対し、独立に関心領域をそれぞれ設定する。制御回路２２は、Ｂモードボリュームデータに設定された関心領域を表す情報に基づいて、当該Ｂモードボリュームデータに対しクロップ処理を施す。制御回路２２は、血流ボリュームデータに設定された関心領域を表す情報に基づいて、当該血流ボリュームデータに対しクロップ処理を施す。制御回路２２は、クロップ処理が施されたＢモードボリュームデータ、及び血流ボリュームデータに基づいて表示用画像データを生成する。
【００７０】
これにより、Ｂモードボリュームデータ、及び血流ボリュームデータを重畳させた場合に、血流ボリュームデータに係る血液の逆流を表す領域を遮るＢモードボリュームデータに係る不要領域を独立に取り除くことができる。そして、心臓弁において血液が逆流している状態を観察することができる。
【００７１】
したがって、本実施形態に係る超音波診断装置によれば、心臓検査等において、血流の状態をより診断しやすくすることが可能となる。
【００７２】
［その他の変形例］
上記実施形態では、Ｂモードボリュームデータ以外のボリュームデータは、血流ボリュームデータとしていたがこれに限られない。例えば、超音波造影剤からの高調波成分を選択的に表示するためにコントラストハーモニックイメージング（CHI:Contrast Harmonic Imaging）法を実行して取得されたボリュームデータ等であってもよい。
【００７３】
また、上記実施形態では、制御回路２２は、Ｂモードボリュームデータ、及び血流ボリュームデータの２つの異なる種類のボリュームデータに対し、それぞれ独立にクロップ処理を施していたがこれに限定されない。例えば、制御回路２２は、３以上の異なる種類のボリュームデータに対し、それぞれ独立にクロップ処理を施すようにしてもよい。
【００７４】
また、上記実施形態では、制御回路２２は、超音波走査により収集されたＢモードボリュームデータ、及び血流ボリュームデータ等の超音波ボリュームデータをクロップ処理の対象としていたがこれに限定されない。例えば、制御回路２２は、ＣＴ画像データ、ＭＲ画像データ、Ｘ線画像データ、ＰＥＴ画像データ等の他のモダリティにより取得された医用画像データに係るボリュームデータをクロップ処理の対象としてもよい。このとき、制御回路２２は、例えばクロップ処理の対象となる複数の異なる種類のボリュームデータが同時に撮影されたものでない場合、当該複数の異なる種類のボリュームデータに対して所定のレジストレーション処理を実行した後、それぞれ独立にクロップ処理を施すようにする。
【００７５】
また、他のモダリティ、例えばＸ線ＣＴ装置、及びＭＲＩ（Magnetic Resonance Imaging）装置、核医学診断装置、及びＸ線診断装置等の各種医用画像診断装置が上記実施形態に係る制御回路が実現する各機能を実行するようにしてもよい。
【００７６】
また、上記実施形態においては、医用画像診断装置である超音波診断装置を前提に説明したがこれに限定されない。例えば、各種医用画像診断装置により取得された複数の異なる種類のボリュームデータを、ＰＣ（personal computer）及びワークステーション等に転送し、医用画像処理装置として上記実施形態に係る制御回路が実現する各機能を実行するようにしてもよい。
【００７７】
また、上記実施形態では、制御回路２２は、血流ボリュームデータにおいて、血流の方向が正の向きを表す領域、又は、血流の方向が負の向きを表す領域を検知し、検知した領域に基づいて関心領域を設定していたがこれに限定されない。例えば、制御回路２２は、ＭＰＲ画像を用いて、血流ボリュームデータに対する関心領域の位置を自動で合わせるようにしてもよい。また、制御回路２２は、クロップ処理後のＢモードボリュームデータの所定位置、例えば心臓弁の位置から一定の距離離れた面を算出し、算出された面に基づいて血流ボリュームデータに対する関心領域を設定するようにしてもよい。また、制御回路２２は、Ｂモードボリュームデータから心臓の弁の位置を抽出し、抽出した弁の位置から所定の距離だけ離れた位置までの領域を関心領域として設定するようにしてもよい。
【００７８】
また、制御回路２２は、心尖の位置を基準として、血流ボリュームデータに対する関心領域を設定してもよい。例えば、制御回路２２は、心臓の弁の弁輪の中心位置から左心室の心尖の位置までの距離に対し所定の割合を乗じ、弁輪の中心位置からクロップ処理の対象となる関心領域の一端まで距離を算出する。これにより、血流ボリュームデータに対する関心領域が設定される。
【００７９】
また、制御回路２２は、予め設定された関心領域に関する設定情報に基づいて、各種ボリュームデータに対する関心領域を設定してもよい。このとき、設定情報は、例えば予め内部記憶回路１７に記憶されている。
【００８０】
また、制御回路２２は、クロップ処理後の血流ボリュームデータをクロップ処理前のＢモードボリュームデータに重畳させて３次元の心臓弁の位置を解析し、Ｂモードボリュームデータに対する関心領域を設定するようにしてもよい。
【００８１】
また、上記実施形態では、制御回路２２は、血流ボリュームデータを分析することにより、血流ボリュームデータに対する関心領域を設定するようにしていたがこれに限定されない。例えば、制御回路２２は、Ｂモードボリュームデータを分析することにより、血流ボリュームデータに対する関心領域を設定してもよい。また、制御回路２２は、Ｂモードボリュームデータ、及び、血流ボリュームデータの両方を分析することにより、血流ボリュームデータに対する関心領域を設定してもよい。
【００８２】
また、上記実施形態では、Ｂモードボリュームデータ、及び血流ボリュームデータに対するクロップ処理の開始指示をそれぞれ別個に受け付けていたがこれに限定されない。制御回路２２は、例えば、Ｂモードボリュームデータに対して関心領域が設定されると、続けて血流ボリュームデータに対する関心領域を設定する。そして、制御回路２２は、関心領域が設定されたＢモードボリュームデータ、及び、血流ボリュームデータに対してそれぞれクロップ処理を施すようにしてもよい。
【００８３】
また、上記実施形態では、制御回路２２は、例えば図７に示される合成ボリュームデータＶ３の空間領域Ｒ２において、Ｂモードボリュームデータ、及び、血流ボリュームデータを重畳させていたがこれに限定されない。例えば、制御回路２２は、図７に示される空間領域Ｒ２においてＢモードボリュームデータのみ抽出されるようにし、空間領域Ｒ１において血流ボリュームデータのみ抽出されるようにしてもよい。
【００８４】
また、上記実施形態では、制御回路２２は、２種類のボリュームデータ、例えば、Ｂモードボリュームデータ、及び、血流ボリュームデータを別々に取得し、取得したＢモードボリュームデータ、及び、血流ボリュームデータを別々に、例えば内部記憶回路１７に記憶していたがこれに限定されない。制御回路２２は、例えば、Ｂモードデータ、及びドプラデータを含む１つのボリュームデータを取得し、取得した１つのボリュームデータを、例えば内部記憶回路１７に記憶するようにしてもよい。このとき、制御回路２２は、例えば、ボリュームデータ取得機能２２１を実行し、入力インタフェース回路２０を介した操作者からの所定の指示に応答し、診断対象である心臓に関するボリュームデータを取得する。このボリュームデータは、例えば、Ｂモード画像に関するＢモードデータ、及びカラードプラ画像に関するドプラデータに基づく。具体的には、制御回路２２は、例えば、超音波送信回路１１、超音波受信回路１２、Ｂモード処理回路１３、及びドプラ処理回路１４を制御し、３次元Ｂモードスキャン、及び、３次元ドプラスキャンを組み合わせて行い、超音波プローブ７０を介してリアルタイムに受信される反射波信号に基づいて、Ｂモードデータ、及びドプラデータを生成する。制御回路２２は、３次元処理回路１５を制御し、生成したＢモードデータ、及びドプラデータに基づいて、ボリュームデータを生成する。これにより、Ｂモードデータ、及びドプラデータに基づく１つのボリュームデータが取得される。制御回路２２は、取得した１つのボリュームデータを、例えば内部記憶回路１７に記憶する。
【００８５】
そして、制御回路２２は、取得したボリュームデータのうち第１領域データに対して第１の関心領域を設定し、第１領域データとは異なる第２領域データに対して第２の関心領域を設定する。第１領域データは、例えば、Ｂモードデータに基づく。第２領域データは、例えば、ドプラデータに基づく。制御回路２２は、設定した第１の関心領域及び第２の関心領域を表す情報に基づいて、第１領域データ及び第２領域データに対してクロップ処理を施す。制御回路２２は、クロップ処理が施された第１領域データ及び第２領域データに基づいて表示用画像データを生成する。
【００８６】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１…超音波診断装置、３…ドプラ処理回路、１０…装置本体、１１…超音波送信回路、１２…超音波受信回路、１３…モード処理回路、１４…ドプラ処理回路、１５…次元処理回路、１６…表示処理回路、１７…内部記憶回路、１８…画像メモリ、１９…画像データベース、２０…入力インタフェース回路、２１…通信インタフェース回路、２２…制御回路、４０…外部装置、５０…表示機器、６０…入力装置、６１、６２…スイッチ群、７０…超音波プローブ、２２１…ボリュームデータ取得機能、２２３…関心領域設定機能、２２５…クロップ機能、２２７…表示制御機能、２２９…システム制御機能。
【図１】
2019013753.tif 000003
【図２】
2019013753.tif 000004
【図３】
2019013753.tif 000005
【図４】
2019013753.tif 000006
【図５】
2019013753.tif 000007
【図６】
2019013753.tif 000008
【図７】
2019013753.tif 000009
【図８】
2019013753.tif 000010